(57)【要約】      （修正有）【課題】チップバスケット内の空き容量を確実に検出し表示するシュレッダーの切りくず検出装置を提供する。【解決手段】シュレッダー上ケースは下方にあるチップバスケット１６に連接され、このチップバスケットはシュレッダーの上方にあるカッターで切った切りくずを受けとり貯留する。シュレッダー上ケース１４の上方に挿入口を設置し、該挿入口の下方にカッターを設置する。傾斜槽を上ケースの底部、且つカッターの底部より高い位置に設置して、回路コントロールパネル１０本体を傾斜槽に設置することで、赤外線受信/発信器１２が下向きに赤外線を発信/受信して、チップバスケット内の切りくずの高さを検出する。ランプを設け、赤外線受信/発信器が受信発信する赤外線の間隔時間によって生じる脈波或いは電圧値を通じて、動態的にチップバスケット内の残余空間を計測し表示することで、安全に自動的にチップバスケット内の切りくずの高さを検出し表示する。【選択図】図1
0003149798.tif 000002
【実用新案登録請求の範囲】
【請求項１】
シュレッダー上ケース、チップバスケット、回路コントロールパネル本体、傾斜槽、ランプを備え、
前記回路コントロールパネル本体に赤外線受信/発信器を設置し、
前記シュレッダー上ケースは下方に前記チップバスケットを連接し、上方に挿入口を設置して該挿入口の下方にカッターを配置し、
前記傾斜槽を前記シュレッダー上ケースの底部、且つ前記カッターの底部より高い位置に設置して、前記回路コントロールパネル本体をこの傾斜槽に配置し、赤外線受信/発信器が下向きに赤外線を発信/受信して、前記チップバスケット内に溜まった切りくずの高さを検出し、
前記ランプは、前記赤外線受信/発信器が受信発信する赤外線の間隔時間によって生じる脈波或いは電圧値を通じて、前記チップバスケット内の残余空間を計測して表示することを特徴とするシュレッダーの切りくず検出装置。
【請求項２】
前記回路コントロールパネル本体は、標準のハードウェア電子部品で構成することを特徴とする請求項1記載のシュレッダーの切りくず検出装置。
【請求項３】
前記回路コントロールパネル本体は、マイクロ処理器とソフトウェアとを組合せて構成することを特徴とする請求項1記載のシュレッダーの切りくず検出装置。
【請求項４】
前記赤外線受信/発信器は、一組の受信器と一組の発信器を含むことを特徴とする請求項1記載のシュレッダーの切りくず検出装置。
【請求項５】
前記赤外線受信/発信器は、カッターが動作を停止した後に、前記チップバスケット内の切りくずの高さを検出することを特徴とする請求項1記載のシュレッダーの切りくず検出装置。
【請求項６】
透明有色覆いシートによって前記傾斜槽を覆うことを特徴とする請求項1記載のシュレッダーの切りくず検出装置。
【請求項７】
前記ランプをシュレッダーの上ケース上方に設置することを特徴とする請求項1記載のシュレッダーの切りくず検出装置。
【請求項８】
前記ランプは、LED或いはLCD液晶ディスプレイ、及びその他の明るくなるディスプレイ装置によって構成することを特徴とする請求項1記載のシュレッダーの切りくず検出装置。
【考案の詳細な説明】
【技術分野】
【０００１】
本考案は、正確にチップバスケット内の切りくずの高さを検出することを可能としたシュレッダーの切りくず検出装置に関する。
【背景技術】
【０００２】
知識レベルが上昇するにつれ、社会はプライバシーを尊重する考えが日増しに強くなっている中、シュレッダーは一般家庭と企業において欠かせない機械となっている。従来のシュレッダーは、チップバスケット内に溜まった切りくずを検出するのに感知棒或いは弾性シートなどの感知装置を使用している。シュレッダーのチップバスケットが一杯になると、上方にある挿入口から紙が入らないようになるため、その時始めてユーザーはチップバスケットが切りくずで一杯になっていると知る。
【０００３】
従来の感知装置は、感知誤差の値が大きすぎるため、有効的に切りくずの溜まり具合を感知することができず、チップバスケットが切りくずで一杯になっても感知せず、逆流してカッターに入ることで、カッター内に紙が詰まったり、モーターが破損する現象を起こしやすい。更に、ユーザーがチップ状となった切りくずをカッターから掃除することで、指に怪我を負おう虞れがある。このような事が起こらないよう、いかにして確実にチップバスケット内部に溜まった切りくずの容量を検出する装置を作るかが、大事なポイントとなり、従来技術を改善する必要があった。
【考案の開示】
【考案が解決しようとする課題】
【０００４】
本考案の第1の目的は、赤外線受信器が発信器から発信されて反射して帰ってくる赤外線を受信して電気信号に変換し、この電気信号を拡大器の拡大及び濾波器により、元の標準電圧信号発生器の発生する電圧信号と共に、一組の相位比較器に入り、電圧及び相位差を比較した後に生じるもう一組の脈波或いは電圧を、シグナルアウトプットのデータとし、脈波或いは電圧を転換した後に、赤外線の反射距離を計算或いは測量できるため、チップバスケット内の切りくずの高さを知ることができるシュレッダーの切りくず検出装置を提供することにある。
【０００５】
本考案の第2の目的は、傾斜槽をシュレッダーケース上ケース底部であってカッターの底部よりも高い位置に設置し、赤外線受信器/発信器を該傾斜槽内に設置することで、シュレッダー上ケース下方にあるチップバスケットの容量検出を行うシュレッダーの切りくず検出装置を提供することにある。
【課題を解決するための手段】
【０００６】
前記課題を解決するために、本考案のシュレッダーの切りくず検出装置は、シュレッダー上ケース、チップバスケット、回路コントロールパネル本体、傾斜槽、ランプを備え、
前記回路コントロールパネル本体に赤外線受信/発信器を設置し、
前記シュレッダー上ケースは下方に前記チップバスケットを連接し、上方に挿入口を設置して該挿入口の下方にカッターを配置し、
前記傾斜槽を前記シュレッダー上ケースの底部、且つ前記カッターの底部より高い位置に設置して、前記回路コントロールパネル本体をこの傾斜槽に配置し、赤外線受信/発信器が下向きに赤外線を発信/受信して、前記チップバスケット内に溜まった切りくずの高さを検出し、
前記ランプは、前記赤外線受信/発信器が受信発信する赤外線の間隔時間によって生じる脈波或いは電圧値を通じて、前記チップバスケット内の残余空間を計測して表示する。
【考案の効果】
【０００７】
本考案は、回路コントロールパネル本体に赤外線受信/発信器を設置することで、動態的にチップバスケット内に貯留した切りくずの高さを検出し、また、ランプを設置して、赤外線受信/発信器が受信発信する赤外線の間隔時間によって生じる脈波或いは電圧値を通じて、動態的にチップバスケット内の残余空間を計測及び表示することで、安全に自動的にチップバスケット内の切りくずの高さを検出し表示することができる。
【考案を実施するための最良の形態】
【０００８】
本考案の実施の形態によるシュレッダーの切りくず検出装置の構造を明確に示すために図に沿って詳細な説明を行う。
【０００９】
本実施の形態では、チップバスケット内に溜まった切りくずの高さ、即ちチップバスケットの残余空間を表す、アウトプット表示ランプはLED発光ダイオードのランプ或いはLCD液晶ランプのいずれでも良い。このアウトプット表示ランプによって、有効的にユーザーの不当操作を防止できる他、ユーザーは更に正確にチップバスケットの容量が切りくずで一杯になったか否かが分かる。
【００１０】
図1は本考案の実施の形態におけるシュレッダーの切りくず検出装置の説明図である。図2は本実施の形態のシュレッダー上ケースの断面図である。図3は本実施の形態における傾斜槽及び回路コントロールパネル本体の赤外線受信/発信器の局部拡大説明図である。図4は本実施の形態における傾斜槽及び回路コントロールパネル本体にある赤外線受信/発信器の別角度から見た拡大説明図である。
【００１１】
各図に示すように、本実施の形態のシュレッダーの切りくず検出装置は、シュレッダー上ケース１４、チップバスケット１６、挿入口１８、カッター２０、回路コントロールパネル本体10、赤外線受信/発信器１２を備えている。前記回路コントロールパネル本体１０は、赤外線受信/発信器12を設置している。この赤外線受信/発信器12は、受信器122及び発信器121を有している。
【００１２】
前記シュレッダー上ケース14は下方に位置するチップバスケット16と連接されており、シュレッダー内の上方に設置したカッター２０が切った切りくず（紙くず）を受けとり溜めるようになっている。シュレッダー上ケース14の上方には、挿入口18を設置してあり、該挿入口18の下方にカッター20が設置されている。上ケース14の底部には、傾斜槽22が設置され、前記回路コントロールパネル本体10をこの傾斜槽22の上に、且つ前記カッター20の底部より高い位置に設置することで、前記赤外線受信/発信器12が下向きに赤外線を発信/受信し、動態的にチップバスケット16内の切りくずの貯留高さを検出するようになっている。本実施の形態は、更に透明有色の覆いシート24を有し、このシート２４は前記傾斜槽22の上を覆っている。
【００１３】
ランプ26は、前記赤外線受信/発信器12の赤外線を受信発信する間隔の時間を通じて、前記チップバスケット16内の容量スペースを検出して表示するようになっている。即ち、前記赤外線受信/発信器12を使って、チップバスケット16の内部に貯留された切りくずの量を検出する。この検出作用の原理は、赤外線受信器122が発信器121から発信された赤外線が反射して帰ってくる信号の強さをスキャンし、拡大器(図に未掲載)を通じて拡大、及び濾波した後に電圧相位比較にて比較する。また、標準設定したクランプ電圧発生器(図に未掲載)の信号を、電圧相位差と比較した後に生じるもう一組の脈波及び電圧値をシグナルアウトプットのデータとする。該信号はマイクロ処理器(図に未掲載)にて信号、電圧分析処理及び計算した後、赤外線反射の距離を計算できるため、安全且つ自動的にチップバスケット16内の切りくずの高さを検出する。最後に、シグナルをランプ26でこの切りくずの貯留状態を表示させ、ランプ26が数段階のチップバスケット16内の空き（残）容量を表示することで、ユーザーはランプ26で表示する現段階のチップバスケット16の容量をはっきりと知ることができる。
【００１４】
チップバスケット16内の容量が切りくずで一杯になった場合には、マイクロ処理機(図に未掲載)は前記カッター20の運転を停止すると同時に、例えばアラーム音を発し、チップバスケット16内の切りくずが溢れるのを防止する。
【００１５】
前記赤外線受信/発信器12は、カッター20が停止した後、動態的にチップバスケット16内部にある切りくずの高さを検出し始める。これは、破砕されて落下する切りくずがチップバスケット16内の容量計算の正確度に影響を及ぼすのを避けるためである。前記ランプ26は、LEDセット、或いはLCD液晶ディスプレイ及びその他の明るくなるディスプレイ装置をセレクトし、動態的にチップバスケット16内の収納空間を検出表示するようになっている。
【００１６】
以上の実施の形態による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００１７】
【図１】本考案の実施形態におけるシュレッダーの切りくず検出装置を示す説明図である。
【図２】本実施の形態のシュレッダー上ケースの断面図である。
【図３】本実施の形態における傾斜槽及び回路コントロールパネル本体にある赤外線受信/発信器の局部拡大説明部である。
【図４】本実施の形態における傾斜槽及び電気コントロールパネル本体にある赤外線受信/発信器の別角度から見た局部拡大説明図である。
【符号の説明】
【００１８】
10  回路コントロールパネル本体
12  赤外線受信/発信器
121  発射器
122  受信器
14  シュレッダー上ケース
16  チップバスケット
18  挿入口
20  カッター
22  傾斜槽
24  透明有色覆いシート
26  ランプ
【図１】
0003149798.tif 000003
【図２】
0003149798.tif 000004
【図３】
0003149798.tif 000005
【図４】
0003149798.tif 000006
【手続補正書】
【提出日】平成21年2月6日(2009.2.6)
【手続補正１】
【補正対象書類名】実用新案登録請求の範囲
【補正対象項目名】全文
【補正方法】変更
【補正の内容】
【実用新案登録請求の範囲】
【請求項１】
シュレッダー上ケース、チップバスケット、回路コントロールパネル本体、傾斜槽、ランプを備え、
前記回路コントロールパネル本体に赤外線受信/発信器を設置し、
前記シュレッダー上ケースは下方に前記チップバスケットを連接し、上方に挿入口を設置して該挿入口の下方にカッターを配置し、
前記傾斜槽を前記シュレッダー上ケースの底部、且つ前記カッターの底部より高い位置に設置して、前記回路コントロールパネル本体をこの傾斜槽に配置し、赤外線受信/発信器が下向きに赤外線を発信/受信して、前記チップバスケット内に溜まった切りくずの高さを検出し、
前記ランプは、前記赤外線受信/発信器が受信発信する赤外線の間隔時間によって生じる脈波或いは電圧値を通じて、前記チップバスケット内の残余空間を計測して表示することを特徴とするシュレッダーの切りくず検出装置。
【請求項２】
前記回路コントロールパネル本体は、ハードウェア電子部品で構成することを特徴とする請求項1記載のシュレッダーの切りくず検出装置。
【請求項３】
前記回路コントロールパネル本体は、マイクロ処理器とソフトウェアとを組合せて構成することを特徴とする請求項1記載のシュレッダーの切りくず検出装置。
【請求項４】
前記赤外線受信/発信器は、一組の受信器と一組の発信器を含むことを特徴とする請求項1記載のシュレッダーの切りくず検出装置。
【請求項５】
前記赤外線受信/発信器は、カッターが動作を停止した後に、前記チップバスケット内の切りくずの高さを検出することを特徴とする請求項1記載のシュレッダーの切りくず検出装置。
【請求項６】
透明有色覆いシートによって前記傾斜槽を覆うことを特徴とする請求項1記載のシュレッダーの切りくず検出装置。
【請求項７】
前記ランプをシュレッダーの上ケース上方に設置することを特徴とする請求項1記載のシュレッダーの切りくず検出装置。
【請求項８】
前記ランプは、LED或いはLCD液晶ディスプレイ、及びその他の明るくなるディスプレイ装置によって構成することを特徴とする請求項1記載のシュレッダーの切りくず検出装置。